(57)【要約】【課題】汗を吸収しないために摩擦係数が低下しない材料で作成した肩パッドが着用中にずれることなく、クッション（緩衝）効果が持続し、神輿の荷重負担が軽減されて肩の打撲傷、擦過傷を防止できる方法を提供する。【解決手段】神輿の荷重を受ける面（上面）に凹凸を設け肩に当接する面（下面）が肩の形状に沿った曲面状の肩パッドを、ハッピ用肌着に設けたポケットに挿入してハッピを着用して神輿を担ぐことを特徴とする神輿を担ぐ際に肩にかかる負担を軽減する方法、その方法で使用する肩パッド及び両肩部にポケットを設けた神輿用肌着。【選択図】なし【特許請求の範囲】
【請求項１】
神輿の荷重を受ける面（上面）に凹凸を設け肩に当接する面（下面）が肩の形状に沿った曲面状の肩パッドを、ハッピ用肌着に設けたポケットに挿入してハッピを着用して神輿を担ぐことを特徴とする神輿を担ぐ際に肩にかかる負担を軽減する方法。
【請求項２】
前記肩パッドは、肩を覆う大きさの幅と長さを有するウレタン樹脂（あるいはポリウレタン）製である請求項１に記載の方法。
【請求項３】
前記ウレタン樹脂の厚みが約１０〜２０ｍｍである請求項２に記載の方法。
【請求項４】
前記ハッピ用肌着が、両肩の首側を挿入口とする２つのポケットを備えている請求項１〜３のいずれかに記載の方法。
【請求項５】
請求項１〜４のいずれかの方法で使用する肩パッドであって、神輿の荷重を受ける面（上面）に凹凸を設け肩に当接する面（下面）が肩の形状に沿った曲面状であり、肩を覆う大きさの幅と長さを有し、厚みが約１０〜２０ｍｍであるウレタン樹脂製であることを特徴とする神輿用肩パッド。
【請求項６】
前記ウレタン樹脂が発泡ウレタン樹脂である請求項５に記載の神輿用肩パッド。
【請求項７】
両肩の首側を挿入口とする２つのポケットを備えていることを特徴とする請求項１〜４のいずれかの方法で使用する神輿用肌着。
【請求項８】
前記ポケット挿入口付近の両内面に挿入口を封鎖するマジックテープを設けた請求項７に記載の神輿用肌着。
【発明の詳細な説明】
【技術分野】
【０００１】
本発明は神輿荷重の負担軽減方法に関する。さらに詳しく言えば、神興しを担ぐときの肩にかかる衝撃を緩和し、肩の打撲及び擦過傷等を防止するための肩パッド、及びその肩パッドの取り付け方法に関する。
【背景技術】
【０００２】
伝統的祭りで実施される御輿渡行は極めて人気の高い行事ではあるが、神輿を担ぐ際に肩にかかる負担が大きく、重いものを肩に担ぐ機会が少ない若年者は肩の打撲や擦過傷等の危険もあるために神輿担ぎを敬遠し、また、高齢者では、加齢による肩筋肉の劣化により御輿担ぎによる打撲や擦過傷事故などが増加している。
【０００３】
従来、神輿用の肩パッドとして、綿を詰めた蒲団状のものを肩に当てて紐で固定するものが使用されている。これは紐で固定するだけでずれやすく、さらに綿製のために汗を吸いやすく、汗を吸った綿は重い上に硬くなり緩衝効果を失うと同時に摩擦係数が低くなるために擦過傷を起こす原因となる。クッション材からなるパッド体を弾性帯状バンドで固定するものも提案されてはいるが（特開平２００４−１７６２３７号公報；特許文献１）、ずれやすいという問題は解消できていない。
【先行技術文献】
【特許文献】
【０００４】
【特許文献１】特開平２００４−１７６２３７号公報
【発明の概要】
【発明が解決しようとする課題】
【０００５】
したがって、本発明の目的は、汗を吸収せず、繰り返し使用しても摩擦係数が低下しない材料で作成した肩パッドを着用中にずれることなく、クッション（緩衝）効果が持続し、神輿の荷重負担が軽減されると共に肩の打撲傷、擦過傷を防止できる方法を提供することにある。
本発明の他の目的は、前記神輿の荷重負担が軽減する方法で使用する肩パッド、及び神輿用肌着を提供することにある。
【課題を解決するための手段】
【０００６】
上記課題に鑑み、鋭意検討を重ねた結果、本発明者は、肩パッドの材料としてクッション効果が大きく、高い反発性能を有する弾性材料、特に軽量で汗を吸収しないポリウレタン材料を使用し、これを肩の形状に合うように、かつさらにクッション効果を高める表面加工を施したものを、半被（ハッピ）の下に着用する肌着に設けたポケットに挿入することにより、肩パッドが着用中にずれることなく、クッション（緩衝）効果が持続して使用でき、神輿の荷重負担が軽減され、肩の打撲傷、擦過傷を防止できる本発明の方法に到達した。
【０００７】
すなわち、本発明は下記［１］〜［４］の神輿を担ぐ際に肩にかかる負担を軽減する方法、［５］〜［６］の神輿用肩パッド、及び［７］〜［８］の神輿用肌着に関する。
［１］神輿の荷重を受ける面（上面）に凹凸を設け肩に当接する面（下面）が肩の形状に沿った曲面状の肩パッドを、ハッピ用肌着に設けたポケットに挿入してハッピを着用して神輿を担ぐことを特徴とする神輿を担ぐ際に肩にかかる負担を軽減する方法。
［２］前記肩パッドは、肩を覆う大きさの幅と長さを有するウレタン樹脂製である前項１に記載の方法。
［３］前記ウレタン樹脂の厚みが約１０〜２０ｍｍである前項２に記載の方法。
［４］前記ハッピ用肌着が、両肩の首側を挿入口とする２つのポケットを備えている前項１〜３のいずれかに記載の方法。
［５］前項１〜４のいずれかの方法で使用する肩パッドであって、神輿の荷重を受ける面（上面）に凹凸を設け肩に当接する面（下面）が肩の形状に沿った曲面状であり、肩を覆う大きさの幅と長さを有し、厚みが約１０〜２０ｍｍであるウレタン樹脂製であることを特徴とする肩パッド。
［６］前記ウレタン樹脂が発泡ウレタン樹脂である前項５に記載の肩パッド。
［７］両肩の首側を挿入口とする２つのポケットを備えていることを特徴とする前項１〜４のいずれかの方法で使用する神輿用肌着。
肩パッド。
［８］前記ポケット挿入口付近の両内面に挿入口を封鎖するマジックテープを設けた前項７に記載の神輿用肌着。
【発明の効果】
【０００８】
本発明によれば、肩に適合する形状に加工された高い反発性能を有する軽量のポリウレタン材料からなる肩パッドを、神輿を担ぐ際に着用する肌着のポケットに装着するので、肩パッドが着用中にずれることなく、クッション（緩衝）効果が持続して使用でき、神輿の荷重負担が軽減され、肩の打撲傷、擦過傷を防止することができる。
【図面の簡単な説明】
【０００９】
【図１】本発明の肩パッドの一実施例の、平面図（Ａ）、Ｘ−Ｘ’切断面図（Ｂ）及びＹ−Ｙ’切断面図（Ｃ）。
【図２】本発明の肩パッド装着用肌着の正面図（Ａ）及び背面図（Ｂ）。
【発明を実施するための形態】
【００１０】
以下に添付図面を参照して本発明を詳細に説明する。
図１は、神輿を担ぐ際に肩にかかる負担を軽減する本発明の方法で使用する肩パッドの一実施形態の平面図（Ａ）、Ｘ−Ｘ’切断面図（Ｂ）及びＹ−Ｙ’切断面図（Ｃ）であり、図２は肩パッドを装着する肌着の一実施形態の正面図（Ａ）及び背面図（Ｂ）である。
【００１１】
本発明の方法で使用する肩パッドは、神輿の荷重を支える肩の負担が一部に集中しない機能、すなわち衝撃を和らげる機能を有する材料で作成する。このような材料としては特に限定されないが、軽量で高い反発力を有し、繰り返し使用出来るポリウレタン樹脂、中でも発泡ポリウレタン樹脂が好ましい。
【００１２】
肩パッド１は、図１に示すように神輿の荷重を受ける面（上面）を荷重が分散するように凹凸面とし、肩に当接する面（下面）が肩の形状に沿った曲面状とする。大きさは肩をほぼ覆う幅と長さを有する程度とする。材料の厚みは特に限定されないが、大旨１０ｍｍ〜５０ｍｍ、好ましくは１０〜３０ｍｍ、さらに好ましくは１０〜２０ｍｍである。
【００１３】
このような肩パッド１を、本発明では半被（ハッピ）の下に着る肌着（神輿用肌着と略記する。）２に設けたポケット３に装着する。神輿用肌着２の１例を示した図２の通り、肌着のポケット３は、左右いずれの肩でも神輿が担げるように肌着上部の首を挟む両側２箇所に、好ましくは首側が肩パッドの出し入れ口４となるように設ける。ポケットの出し入れ口４付近の両内面にマジックテープ（図示しない。）を取り付けて肩パッド挿入後にこのテープで出し入れ口を封鎖すると、神輿を担ぐ激しい動作時にも肩パッドが安定してポケット内に保持できるので好ましい。
【００１４】
以上述べた神輿用肩パッドを神輿用肌着に装着してハッピを着用し、神輿を担ぐと高反発性材料であるウレタン樹脂に設けた曲面が肩の形状に馴染み、上部に設けた凹凸とその反発力で荷重が分散し緩衝作用を有するために、鎖骨、肩、肩甲骨が保護され、、打撲傷、擦過傷が予防される。
また、御輿用肌着への肩パッドの装着及び脱着が容易にできるため、肌着の洗濯などにも支障がなく衛生的である。
【産業上の利用可能性】
【００１５】
本発明による神輿用肩パッドは、肩パッドにベルトを直接接続することで、ランドセル、リュックサック、ショルダーバック、荷物運搬用ショルダー等に利用することも可能である。
【符号の説明】
【００１６】
１  肩パッド
２  神輿用肌着
３  肩パッド収納ポケット
４  肩パッド出し入れ口
【図１】
2014167181.tif 000002
【図２】
2014167181.tif 000003